(57)【要約】気体を噴出するノズル（５２）と、ノズル（５２）に気体を供給する気体の流路を開閉する開閉弁（４１）と、ノズル（５２）の先端に近接して開口する供給口（４３）とを有する噴霧機構をハウジング（１１）の端部に内装した噴霧器が提供される。開閉弁（４１）に接続されるガスボンベ（２２）を収容するための保持ケース（１９）と、供給口（４３）に接続される化粧水容器（３１）を収容するための容器収容部（３０）とが並設されている。
2013157595.tif 000002
【特許請求の範囲】
【請求項１】
気体が噴出されるノズルと、そのノズルに供給される気体の流路を開閉する開閉弁と、ノズルの先端に近接して開口する供給口とを有する噴霧機構をケースの端部に内装した噴霧器において、
前記開閉弁に接続される気体ボンベを収容するためのボンベ収容部と、前記供給口に接続される液体容器を収容するための容器収容部とを並設したことを特徴とする噴霧器。
【請求項２】
前記噴霧機構をケースの上端部に配置し、前記ボンベ収容部を噴霧機構の下方に配置し、前記容器収容部を供給口の下方に配置したことを特徴とする請求項１に記載の噴霧器。
【請求項３】
前記噴霧機構を開閉させるための操作部をケースの上端に設けたことを特徴とする請求項１または２に記載の噴霧器。
【請求項４】
ケースの外側に開口する噴霧口をケース内部に固定し、その噴霧口には前記ノズルと供給口とを固定したことを特徴とする請求項１〜３のうちのいずれか一項に記載の噴霧器。
【請求項５】
前記開閉弁、ボンベ収容部及び開閉弁と操作部との対接部を一軸線上に配置したことを特徴とする請求項３に記載の噴霧器。
【請求項６】
前記開閉弁が、前記ボンベ収容部の軸線から偏倚した箇所に配置されたことを特徴とする請求項１〜４のうちのいずれか一項に記載の噴霧器。
【請求項７】
前記流路において前記気体ボンベの下流に、レギュレータが配置され、前記ボンベ収容部は、前記レギュレータに取付けられるとともに、前記気体ボンベを取り囲む保持ケースにより構成されることを特徴とする請求項１〜６のうちのいずれか一項に記載の噴霧器。
【請求項８】
前記流路において前記気体ボンベの下流に、レギュレータが配置され、前記ボンベ収容部は、前記ケースの一部により構成され、前記気体ボンベは、前記レギュレータに取付けられることを特徴とする請求項１〜６のうちのいずれか一項に記載の噴霧器。
【発明の詳細な説明】
【技術分野】
【０００１】
この発明は、化粧水を炭酸ガスの噴流にのせて噴霧できるようにした噴霧器に関するものである。
【背景技術】
【０００２】
この種の噴霧器が特許文献１に開示されている。【０００３】
この特許文献１の噴霧器において、ケーシングが全体として直角に近い鋭角状に屈折した形状に形成されている。ケーシングは、傾斜部分と、傾斜部分に対して鋭角状をなす水平部分とを備える。ケーシングの傾斜部分内には、その傾斜に沿って延びるようにガスボンベが内装されるとともに、ケーシングの水平部分内には、化粧液の容器が設けられている。【０００４】
このため、特許文献１の噴霧器は携帯可能な形状であるものの、ガスボンベと容器とが異なる向きで離れて配置されているため、噴霧器の全体が大型化してしまい、携帯に不便であって、使い勝手の良いものではなかった。
【先行技術文献】
【特許文献】
【０００５】
【特許文献１】特開２００４−３２１８０６号公報
【発明の概要】
【発明が解決しようとする課題】
【０００６】
この発明は、このような従来の技術に存在する問題点に着目してなされたものである。その目的は、携帯に便利で、使い勝手の良い噴霧器を提供することにある。
【課題を解決するための手段】
【０００７】
上記課題を解決するために、本発明の一態様によると、気体が噴出されるノズルと、そのノズルに供給される気体の流路を開閉する開閉弁と、ノズルの先端に近接して開口する供給口とを有する噴霧機構をケースの端部に内装した噴霧器が提供される。噴霧器は、前記開閉弁に接続される気体ボンベを収容するためのボンベ収容部と、前記供給口に接続される液体容器を収容するための容器収容部とを並設したことを特徴とする。【０００８】
この場合、ボンベ収容部と容器収容部とが並設されているため、噴霧器の全体が単純な筒状でかつコンパクトである。このため、この噴霧器は嵩張らず携帯に便利で、かつ把持しやすい。このため、この噴霧器を旅先等において簡便に化粧に用いることができる。【０００９】
前記の構成において、前記噴霧機構をケースの上端部に配置し、前記ボンベ収容部を噴霧機構の下部に配置し、前記容器収容部を供給口の下部に配置することが望ましい。【００１０】
前記の構成において、前記噴霧機構を開閉させるための操作部をケースの上端に設けることが望ましい。【００１１】
前記の構成において、ケースの外側に開口する噴霧口をケース内部に固定し、その噴霧口には前記ノズルと供給口とを固定することが望ましい。【００１２】
前記の構成において、前記開閉弁、ボンベ収容部、及び開閉弁と操作部との対接部を一軸線上に配置することが望ましい。【００１３】
前記の構成において、前記開閉弁が、前記ボンベ収容部の軸線から偏倚した箇所に配置されることが望ましい。【００１４】
前記の構成において、前記流路において前記気体ボンベの下流に、レギュレータが配置され、ボンベ収容部は、レギュレータに取付けられるとともに、前記気体ボンベを取り囲む保持ケースにより構成されることが望ましい。【００１５】
前記の構成において、前記流路において前記気体ボンベの下流に、レギュレータが配置され、前記ボンベ収容部は、前記ケースの一部により構成され、前記気体ボンベはレギュレータに取付けられることが望ましい。
【発明の効果】
【００１６】
上記噴霧器によれば、携帯に便利で使い勝手がよい噴霧器を提供できるという効果を発揮する。
【図面の簡単な説明】
【００１７】
【図１】第１実施形態の噴霧器を示す斜視図。
【図２】図１の噴霧器の断面図。
【図３】第１実施形態における噴霧口の部分を拡大して示す部分断面図。
【図４】第２実施形態の噴霧器の内部構造を示す図であり、レギュレータの一部を破断した状態で示す側面図。
【図５】図４のＸ部の内部構造を拡大して示す部分断面図。
【図６】第２実施形態における噴霧器について化粧水容器及びその周辺部分を示す部分断面図。
【図７】第２実施形態において、上部ケースを下部ケースに連結するとともに、その連結を解除する構造を示す部分断面図。
【図８】上部ケースの側部に連結解除ボタンを配置した変更例を示す部分側面図。
【図９】図８の上部ケースが連結される下部ケースを示す斜視図。
【図１０】図８の上部ケースの内部に設けられた伝達機構及びその周辺部分を示す部分斜視図。
【図１１】図１０とは異なる視点における伝達機構及びその周辺部分の部分斜視図。
【発明を実施するための形態】
【００１８】
（第１実施形態）
以下、第１実施形態による噴霧器を図１〜図３に基づいて説明する。
【００１９】
図１及び図２に示すように、噴霧器のハウジング１１は、有底筒状の下部ケース１２の上端開口に有底有蓋筒状の上部ケース１３を着脱可能に連結して構成されている。
【００２０】
上部ケース１３の底部１４にはレギュレータ１５の下端部が貫通状態で固定されている。そのレギュレータ１５の中心孔（図示しない）には尖鋭管状のニードル部材１７が保持されている。
【００２１】
前記レギュレータ１５の外周において底部１４には支持筒部１８が下方へ向かって突出されており、その支持筒部１８の外周にはボンベ収容部としての有底筒状をなす保持ケース１９がその上端開口においてネジを介して固定されている。
【００２２】
保持ケース１９内には気体ボンベとしてのガスボンベ２２が保持ケース１９の底部に受けられた状態で収納されている。そして、ガスボンベ２２の上蓋２３に前記ニードル部材１７の先端部が刺通されている。このため、ガスボンベ２２内の炭酸ガスがニードル部材１７内に至る。ガスボンベ２２の上蓋２３の上面には上蓋２３とニードル部材１７との間からのガスの漏洩を防止するためのシール２４が設けられている。
【００２３】
前記保持ケース１９と隣接して、下部ケース１２内には容器収容部３０が形成されている。その容器収容部３０内には液体容器としての化粧水容器３１が着脱可能に設置されており、その内部には化粧水が収容されている。この化粧水容器３１の上端部には、吸い上げられる化粧水を通すためのチューブ３２が接続されている。なお、化粧水容器３１の上端部には、化粧水の吸い上げによって化粧水容器３１の内部が負圧になることを防止するために、小孔（図示しない）が透設されている。
【００２４】
図２及び図３に示すように、前記レギュレータ１５の上部には開閉弁を構成する弁ケース４１が接続されている。弁ケース４１には接続管４２が突設されている。接続管４２は弁ケース４１及び前記レギュレータ１５内の通路（図示しない）を介して前記ニードル部材１７の内部通路と連通されている。
【００２５】
上部ケース１３の側壁には、外部に向かって開口する噴霧口５１が固定されている。噴霧口５１の基端部には、噴霧機構を構成するノズル５２が嵌入されている。そのノズル５２の基端部には前記接続管４２が接続されている。噴霧口５１の下部周壁には噴霧機構を構成する供給口４３が貫通して固定されている。その噴霧口５１の基端部には前記チューブ３２が接続されている。ノズル５２の先端開口が供給口４３の先端開口に近接して配置されている。ノズル５２からガスが高速で噴出されると、供給口４３の先端開口の付近が負圧になって、化粧水容器３１内の化粧水が吸い上げられる。このため、化粧水がミストとなって炭酸ガスの噴流とともに噴霧口５１の開口から噴出される。
【００２６】
上部ケース１３の上端には操作部としての操作ノブ６１が設けられている。この操作ノブ６１が押し下げられるように操作されることにより、昇降棒（図示しない）を介して前記弁ケース４１内の弁（図示しない）が押し下げられてニードル部材１７とノズル５２との間の通路が開放される。このため、弁ケース４１の一次側に接続されたガスボンベ２２内の炭酸ガスが通路及び接続管４２を介してノズル５２に供給される。
【００２７】
第１実施形態においては、前記保持ケース１９と化粧水容器３１とが下部ケース１２内において近接して並設されている。従って、ガスボンベ２２と化粧水容器３１とが近接して並設されている。また、前記弁、弁と昇降棒を介した操作ノブ６１との対接部、及び保持ケース１９が上下方向に沿って延びる一軸線上に配置されている。
【００２８】
次に、第１実施形態による噴霧器の作用を説明する。
【００２９】
この噴霧器において、保持ケース１９及びガスボンベ２２と、容器収容部３０及び化粧水容器３１とが近接して並設されている。そのため、噴霧器は、全体として小型な外形形状で、上下に長い単純な筒状をなしている。このため、噴霧器は邪魔にならず携帯に便利である。
【００３０】
そして、噴霧器の使用に際しては、ハウジング１１を片手で持ちながら、人差し指等で、操作ノブ６１を押し下げることにより、前記弁が開放される。このとき、化粧水のミストが噴霧口５１から炭酸ガスの噴流に乗って噴出される。従って、このミストと炭酸ガスとを肌に当てることができる。
【００３１】
このため、第１実施形態の噴霧器によって、以下の効果を得ることができる。
【００３２】
（１）  第１実施形態の噴霧器においては、保持ケース１９と、化粧水容器３１とが並設されている。そのため、噴霧器はガスボンベ２２と化粧水容器３１とを内装しているが、噴霧器の全体は単純な筒状でかつコンパクトである。このため、この噴霧器は嵩張らず携帯に便利で、かつ把持しやすい。従って、この噴霧器を旅先等で簡便に化粧に用いることができる。
【００３３】
（２）  噴霧口５１を含む噴霧機構がハウジング１１の上端部に配置され、保持ケース１９が噴霧機構の下部に配置されるとともに、化粧水容器３１が、噴霧口５１及び供給口４３の下方に配置されている。そのため、噴霧器の全体を細長くして、携帯及び把持に適する形状にできる。
【００３４】
（３）  噴霧機構を開閉させるための操作ノブ６１をハウジング１１の上端に設けたため、ハウジング１１を片手で把持した状態で、その操作ノブ６１をその片手の人差し指等で簡単に押し下げ操作できる。従って、噴霧器の噴霧操作を片手で容易に行なうことができるため、残りの片手で他の化粧用具の取り扱い等を行なうことができる。
【００３５】
（４）  ハウジング１１の外側に開口する噴霧口５１をハウジング１１の内部側に固定し、その噴霧口５１にはノズル５２と供給口４３とを固定している。そのため、ノズル５２と供給口４３とをユニット化できる。従って、噴霧器のコンパクト化に寄与できるとともに、例えばノズル５２が詰まった場合に、交換が容易である。
【００３６】
（５）  弁、ガスボンベ２２の保持ケース１９、及び弁と操作ノブ６１との対接部が一軸線上に配置されている。そのため、噴霧器の全体を細長くコンパクトにできる。従って、噴霧器は携帯や把持に便利である。
【００３７】
（第２実施形態）
次に、第２実施形態による噴霧器について図４〜図７を参照して説明する。
【００３８】
第２実施形態においても、第１実施形態と同様に、噴霧器のハウジング１１が下部ケース１２及び上部ケース１３を備えている。第２実施形態においては、上部ケース１３を下部ケース１２に着脱可能に連結するために、図７に示す構造が採用されている。
【００３９】
上部ケース１３の底部１４には下方へ向けて延びる突部７１が形成されている。この突部７１において、上部ケース１３及び下部ケース１２の軸線Ｌ１を挟んで相対向する箇所には、それぞれ鈎状をなす一対の被係止部７２が、互いに離間する方向へ向けて突出している。また、下部ケース１２の底部１６には基台７０が固定され、連結解除ボタン７３が上記基台７０に対し上下方向に沿ってスライド可能に装着されている。下部ケース１２の内部の上記軸線Ｌ１を挟んで相対向する箇所には、上下方向に沿って延びる一対のレバー７４が軸７５によりそれぞれ傾動可能に支持されている。各レバー７４の上端部には、互いに接近する方向へ向けて突出した係止部７６が形成されている。両係止部７６は、レバー７４の傾動に伴い被係止部７２に対し係止及び離脱する。各レバー７４の下端部には、対向するレバー７４へ向けて延びる腕部７７が形成されている。両腕部７７の先端部の間には、コイルばね等のばね７８が圧縮された状態で介在されている。このばね７８により、各係止部７６を被係止部７２に係止させるように両レバー７４が付勢されている。上記連結解除ボタン７３には、一対の押圧部７９が上方へ向けて突設されている。これらの押圧部７９が上記両腕部７７の先端部に対し下方から接触している。
【００４０】
第２実施形態においても、第１実施形態と同様に、上部ケース１３の底部１４にレギュレータ１５の下端部が固定されている。しかし、第２実施形態においては、図４に示すように、ハウジング１１の内部において、レギュレータ１５の下方には、保持ケース１９が配置されていない。第２実施形態では、保持ケース１９に代え、ハウジング１１内の空間の一部が、ガスボンベ２２を収容するためのボンベ収容部８１として作用する。ガスボンベ２２の上端部の外周面には雄ネジ８２が形成されている。この雄ネジ８２が、レギュレータ１５の下端部に形成された雌ネジ８３にねじ込まれることで、ガスボンベ２２がレギュレータ１５に着脱可能に取付けられている。これらのガスボンベ２２及びレギュレータ１５は同一の軸線Ｌ２上に配置されている。開閉弁を構成する弁ケース４１は、上記軸線Ｌ２から偏倚した箇所、ここではレギュレータ１５の側方に配置されている。
【００４１】
図４及び図５に示すように、上記弁ケース４１には、ノズル５２及び噴霧口５１が固定されており、レギュレータ１５、弁ケース４１、ノズル５２及び噴霧口５１がユニット化されている。
【００４２】
噴霧口５１の下部周壁には、上下両端が開放された筒状の被着部８４が挿通され、同噴霧口５１に固定されている。被着部８４において、噴霧口５１内へ延びた部分は、上側ほど径が小さくなるよう先細形状に形成されている。そして、供給口４３の先端部が、被着部８４に対し下方から抜き出し可能に挿入されている。
【００４３】
供給口４３の基端部にはチューブ３２の上端部が接続され、同チューブ３２の下端部は化粧水容器３１に接続されている。この点は、第１実施形態と同様である。
【００４４】
供給口４３の基端部及びチューブ３２の全体は、チューブカバー８５によって覆われている。チューブカバー８５は、化粧水容器３１の上端部に装着されたキャップ８６から上方へ延びている。これらの化粧水容器３１、チューブ３２、キャップ８６、チューブカバー８５及び供給口４３は、互いに組付けられて、容器ユニット８７を構成している。
【００４５】
化粧水容器３１の側壁において、同化粧水容器３１の軸線（図示しない）を挟んで相対向する箇所には一対の突起８８が形成されている。また、上部ケース１３の下端部において下部ケース１２によって覆われる箇所（図示しない）であって、上記両突起８８に対応する箇所には、それぞれ弾性片８９が形成されている。これらの突起８８及び弾性片８９の位置は、供給口４３が被着部８４に挿入された状態で、突起８８及び弾性片８９が互いに係合するように設定されている。
【００４６】
図６に示すように、下部ケース１２の底部１６において、容器収容部３０の下方の箇所には、上端が開放された２重筒状をなす装着部９１が上方へ向けて突設されている。ゴム等の弾性材から形成された非中実の弾性部材９２が上記装着部９１に上方から挿入されて、装着部９１に装着されている。この弾性部材９２は、下部ケース１２の底部１６と化粧水容器３１との間で弾性変形させられた状態で配置されている。この弾性変形した弾性部材９２によって、化粧水容器３１が下側から受け止められている。
【００４７】
化粧水容器３１の上壁部の一部には、その化粧水容器３１の内外を連通させる孔９３が形成されている。化粧水容器３１の上壁部には、上記孔９３を塞ぐ防水透湿性のフィルタ９４が取付けられている。このフィルタ９４は、例えば、水分子よりも小さく、かつ水蒸気よりも大きい多数の微細な孔を有するポリウレタン膜によって形成されている。
【００４８】
上記以外の構成は第１実施形態と同様である。そのため、第１実施形態で説明した要素と同様の要素には同一の符号を付し、重複する説明を省略する。
【００４９】
次に、第２実施形態の噴霧器の作用について説明する。
【００５０】
この噴霧器では、弁ケース４１が、ボンベ収容部８１に収容されたガスボンベ２２及びレギュレータ１５の軸線Ｌ２から偏倚した箇所に配置されている。このため、弁ケース４１がガスボンベ２２と同一の軸線Ｌ２上に配置されている噴霧器に比べ、その軸線Ｌ２の方向についての噴霧器の寸法が短くなる。
【００５１】
反面、弁ケース４１の上記配置に伴い、上記軸線Ｌ２に直交する方向についての噴霧器の寸法が大きくなる。しかし、第２実施形態の噴霧器は保持ケース１９を備えていないため、保持ケース１９の厚みの分、化粧水容器３１をガスボンベ２２に接近して配置することができる。このことから、弁ケース４１の上記配置に伴う上記軸線Ｌ２に直交する方向についての噴霧器の寸法増大が抑えられる。従って、噴霧器は、全体として小型となり、邪魔にならず携帯に便利である。
【００５２】
図７に示すように、上記噴霧器では、連結解除ボタン７３の非操作時には、両腕部７７がばね７８により互いに離間する方向へ向けて付勢されている。この付勢力は、両レバー７４を介して両係止部７６に伝達され、各係止部７６が被係止部７２に係止している。そのため、上部ケース１３が下部ケース１２に対し連結された状態となり、同上部ケース１３が下部ケース１２から容易に外れない。
【００５３】
また、このときには、弾性変形した弾性部材９２によって、容器ユニット８７が下側から受け止められている。これにより、容器ユニット８７の不要な動き、例えばがたつきが規制される。
【００５４】
さらに、上記連結解除ボタン７３が、下部ケース１２の底部１６に配置されているため、連結解除ボタン７３が他の箇所に配置される場合に比べ、誤って押圧されることが起こりにくい。
【００５５】
噴霧器は、第１実施形態と同様、ハウジング１１を片手で持ちながら、人差し指等で、操作ノブ６１を押し下げることによって操作される。この押し下げにより、前記弁が開放されて、炭酸ガスがノズル５２に供給され、化粧水のミストが噴霧口５１から炭酸ガスの噴流に乗って噴出される。従って、このミストと炭酸ガスとを肌に当てることができる。
【００５６】
容器ユニット８７及びガスボンベ２２の少なくとも一方を交換する場合や、供給口４３の先端開口を清掃する場合には、連結解除ボタン７３を、例えば指で、押圧するように操作する。この連結解除ボタン７３により、各腕部７７に対し腕部７７を押上げる力が作用する。この力により、両腕部７７が、ばね７８に抗して互いに接近するように、両レバー７４が軸７５を支点として傾動する。この傾動により、両係止部７６が互いに離間する方向へ向けて変位し、対応する被係止部７２から外れる。これにより、上部ケース１３の下部ケース１２に対する連結状態が解除される。そのため、上部ケース１３を下部ケース１２から取り外すことが可能となる。
【００５７】
上部ケース１３を下部ケース１２から取り外すと、同上部ケース１３に組付けられている容器ユニット８７及びガスボンベ２２が下部ケース１２の容器収容部３０及びボンベ収容部８１から抜き出される。さらに、上部ケース１３の両弾性片８９を弾性変形させることで、同弾性片８９に対する両突起８８の係合状態を解除すると、容器ユニット８７が上部ケース１３から取り外される。また、それまでレギュレータ１５に組付けられていたガスボンベ２２を雌ネジ８３および雄ネジ８２の締付けが緩まる方向へ軸線Ｌ２の周りで回転させることで、レギュレータ１５からガスボンベ２２が取り外される。
【００５８】
続いて、供給口４３が被着部８４内に入り込むように、新たな容器ユニット８７を、上記のように下部ケース１２から取り外された上部ケース１３に対し下方から挿入することができる。その挿入の途中で、突起８８が弾性片８９に当接し、同弾性片８９を外側へ弾性変形させる。供給口４３が被着部８４内に入り込むと、突起８８が弾性片８９に対向し、同弾性片８９の弾性復元力により各突起８８が対応する弾性片８９に係合する。また、新たなガスボンベ２２を雌ネジ８３および雄ネジ８２が締まる方向へ軸線Ｌ２の周りで回転させることで、同ガスボンベ２２がレギュレータ１５に取付けられる。
【００５９】
このようにして、新たな容器ユニット８７及びガスボンベ２２が上部ケース１３に装着される。
【００６０】
連結解除ボタン７３を押圧するように操作することにより、両係止部７６の間の間隔が拡げられる。この状態で、容器ユニット８７を下部ケース１２の容器収容部３０内に配置し、ガスボンベ２２を同下部ケース１２のボンベ収容部８１に配置する。
【００６１】
この際、弾性部材９２が容器ユニット８７の化粧水容器３１によって押え付けられ、下部ケース１２の底部１６と化粧水容器３１との間で弾性変形させられる。容器ユニット８７は弾性部材９２によって下側から受け止められる。
【００６２】
そして、上部ケース１３が下部ケース１２に被せられたときに、連結解除ボタン７３から指を離す。このとき、ばね７８の弾性復元力により、両腕部７７の間隔が拡がる方向へ両レバー７４が軸７５を支点として傾動し、両係止部７６が対応する被係止部７２に係合する。これらの係合により、上部ケース１３が下部ケース１２に連結される。また、両腕部７７の間隔が拡がる方向へ両レバー７４が傾動することにより、連結解除ボタン７３が押下げられ、押圧操作前の元の位置に戻される。
【００６３】
上記のように、化粧水容器３１の交換に際しては、容器ユニット８７ごと交換が行なわれる。このため、化粧水容器３１を、異なる種類の化粧水の入った化粧水容器３１に交換した場合に、チューブ３２の内部や供給口４３の内部に、交換前の化粧水が残ることが起こりにくい。
【００６４】
容器ユニット８７を上部ケース１３から取り外した場合には、供給口４３の先端開口が現われるため、清掃具を用い、先端開口を通じて供給口４３を清掃することが可能である。
【００６５】
ところで、噴霧器の携帯中に、気温の上昇等により化粧水容器３１の内圧が上昇することがある。噴霧器の姿勢によっては、例えば噴霧器が横に配置されている場合には、このように上昇した化粧水容器３１の内圧によって化粧水容器３１内の化粧水がチューブ３２を通じて押し出され、供給口４３から漏れ出るおそれがある。
【００６６】
この点、第２実施形態では、化粧水容器３１の上壁部の一部に形成された孔９３が防水透湿性のフィルタ９４によって塞がれている。このため、気温の上昇に伴い化粧水容器３１の内部の温度が高くなっても、その化粧水容器３１内の空気がフィルタ９４を通じて化粧水容器３１の外部へ逃がされることで、化粧水容器３１の内圧が高くなる現象が起こりにくい。これにより、化粧水容器３１の内圧の上昇によるチューブ３２及び供給口４３を通じた化粧水の漏れが抑制される。
【００６７】
従って、第２実施形態によれば、上記の効果（１）〜（３）と同様の効果が得られるほか、次の効果が得られる。
【００６８】
（６）  ボンベ収容部８１、ガスボンベ２２及びレギュレータ１５を同一の軸線Ｌ２上に配置するとともに、弁ケース４１を軸線Ｌ２から偏倚した箇所に配置している。このため、上記軸線Ｌ２の方向についての噴霧器の寸法を第１実施形態よりも短くし、噴霧器全体のコンパクト化を図ることができる。
【００６９】
（７）  保持ケース１９に代え、ハウジング１１の一部（レギュレータ１５の下方の空間）がボンベ収容部８１として作用する。ガスボンベ２２の上端部をネジによりレギュレータ１５に直接取付けて支持している。噴霧器は、保持ケース１９を備えていないため、少ない部品点数で噴霧器を構成することができる。また、保持ケース１９の厚みの分、化粧水容器３１をガスボンベ２２に接近して配置することができる。弁ケース４１の上記配置に伴い、軸線Ｌ２に直交する方向についての噴霧器の寸法が増大するのを抑えることができる。
【００７０】
（８）  化粧水容器３１、チューブ３２、キャップ８６、チューブカバー８５及び供給口４３は、互いに組付けられることで、容器ユニット８７を構成している。このため、化粧水容器３１を、異なる種類の化粧水の入った化粧水容器３１に交換する際に、容器ユニット８７ごと交換することができる。これにより、新旧の化粧水が、チューブ３２の内部や供給口４３の内部で混ざるのを抑制することができる。
【００７１】
また、容器ユニット８７を上部ケース１３から取り外すことで、噴霧口５１から供給口４３を抜き出すことができる。そのため、供給口４３が詰まっても、供給口４３を抜き出して、清掃することで詰まりを解消することができる。また、上記の清掃を行なわずに新たな容器ユニット８７を上部ケース１３に組付けることで、詰まった供給口４３を、詰まっていない供給口４３に交換することができる。
【００７２】
（９）  レギュレータ１５、弁ケース４１、噴霧口５１及びノズル５２をユニット化した状態でハウジング１１に組付けている。
【００７３】
そのため、上記の複数の部材を１つのアセンブリとして扱うことができ、取り扱いがしやすくなる。
【００７４】
（１０）  下部ケース１２の底部１６において、容器収容部３０の下方の箇所に弾性部材９２を配置している。このため、弾性部材９２によって化粧水容器３１を下側から受け止め、化粧水容器３１の不要な動きを抑制することができる。また、ハウジング１１の軸線Ｌ１、ガスボンベ２２及びレギュレータ１５の軸線Ｌ２の方向についての寸法誤差を、弾性部材９２の弾性変形によって吸収することができ、製品の寸法管理を容易にすることができる。
【００７５】
また、中実でない弾性部材９２を、２重筒状の装着部９１に挿入している。そのため、弾性部材９２を装着部９１内の空間で弾性変形させることができるとともに、弾性部材９２が弾性変形により縮んだままの状態になるのを抑制することができる。
【００７６】
（１１）  化粧水容器３１の上壁部の一部に孔９３を形成し、この孔９３を防水透湿性のフィルタ９４によって塞いでいる。このため、化粧水容器３１内の空気をフィルタ９４及び孔９３を通じて化粧水容器３１の外部へ逃がすことができる。そのため、気温の上昇等に伴い化粧水容器３１の内部の温度が高くなっても、化粧水容器３１の内圧の上昇が抑制され、チューブ３２、供給口４３等からの化粧水の漏れを抑制することができる。
（変更例）
上記各実施形態は、次のように変更して具体化することも可能である。
【００７７】
・  上部ケース１３の外側に、噴霧口５１の開口を覆う位置とそこから退く位置との間を移動可能なカバーを設けてもよい。
【００７８】
そのようなカバーの一例として、図２の二点鎖線は、カバー１０１を示している。カバー１０１には、その上下動に伴い噴霧口５１の開口を開放及び閉塞する連通孔１０２が形成されている。連通孔１０２が開口に対向する位置までカバー１０１が上下動されると、開口が開放される。連通孔１０２が開口から上方または下方へずれた位置までカバー１０１が上下動されると、開口がカバー１０１によって塞がれる。
【００７９】
従って、噴霧器の不使用時に、噴霧口５１の開口をカバー１０１によって塞ぐことで、噴霧口５１へのゴミ等の異物の進入を規制することができる。また、噴霧器の使用時に、噴霧口５１の開口を開放させることで、化粧水のミストを噴出させることができる。
【００８０】
カバー１０１は、その表面が、下部ケース１２の表面から突出しないように形成されてもよい。すなわち、カバー１０１の表面および下部ケース１２の表面が同一面上に配置されるように形成されてよい。この場合、カバー１０１とハウジング１１との間に段差が生じない。
【００８１】
また、上記連通孔１０２は切欠きに変更されてもよい。
【００８２】
・  供給口４３の上方に、その供給口４３の内部を清掃する清掃機構を設けてもよい。
【００８３】
図５の二点鎖線は、清掃機構の一例を示している。清掃機構は、供給口４３の上方に配置されたブラシ１０３を備えている。ブラシ１０３は、上下方向に沿って延びて噴霧口５１の上部周壁を貫通する柄１０４と、その柄１０４の下端部に束ねられた状態で植え込まれた複数本の毛１０５とを備えている。ブラシ１０３は、上部ケース１３の上下動に連動して上下動するように構成されることが望ましい。ここでのブラシ１０３の連動とは、上部ケース１３が下方へ移動されて下部ケース１２に被せられたときには、毛１０５が供給口４３内に進入する。上部ケース１３が上方へ移動されたときには、毛１０５が供給口４３から退出する。
【００８４】
このようにすれば、上部ケース１３を下部ケース１２に対し下方へ移動させることで、毛１０５を供給口４３の内部に挿入させ、供給口４３の内部に詰まった化粧水を除去することができる。この場合には、詰まりの解消のために、上部ケース１３から容器ユニット８７を取り外さなくてもすむ。
【００８５】
・  上部ケース１３の上下動に伴い、操作ノブ６１を動作不能にロックしたり、そのロックを解除したりする機構を、操作ノブ６１と上部ケース１３との間に設けてもよい。
【００８６】
例えば、上部ケース１３が下方へ移動されて下部ケース１２に被せられた状態では、操作ノブ６１を動作不能にロックする。また、上部ケース１３が上方へ移動されると、上記ロックを解除して、操作ノブ６１を動作可能にする。この機構は、例えば、カム機構、リンク機構、それらの組合わせにより実現することができる。
【００８７】
このようにすれば、例えば、噴霧器を鞄等の中に入れて携帯している状況下で、鞄内に手を入れて捜し物をしようとして操作ノブ６１に触れても、同操作ノブ６１が押圧操作されて炭酸ガスが噴射されるのを抑止することができる。
【００８８】
・  上記噴霧器を、液体容器内に化粧水とは異なる種類の液体が収容された噴霧器や、ガスボンベ２２内に炭酸ガスとは異なる気体が圧縮状態で注入された噴霧器に適用してもよい。
【００８９】
・  ハウジング１１において、下部ケース１２及び上部ケース１３に対し、他の部材を加えてもよい。
【００９０】
・  供給口４３及びチューブ３２を噴霧口５１に組付けることでユニット化し、このユニットのチューブ３２に対し、化粧水容器３１を着脱可能に取り付けるように構成してもよい。
【００９１】
・  上部ケース１３を下部ケース１２に着脱可能に連結するために、第２実施形態とは異なる構造を採用してもよい。
【００９２】
図８〜図１１は、この構造の一例を示している。図８に示すように、上部ケース１３は、その下部において略円筒状に形成された被着部１１１を有している。上部ケース１３を図９の下部ケース１２に連結する際に、同下部ケース１２の上部が被着部１１１に被せられる。図１１に示すように、被着部１１１において、上部ケース１３の軸線（図示略）を挟んで相対向する箇所には、一対のレバー１１２（図１１では一方のみ図示）が軸１１３によりそれぞれ傾動可能に支持されている。各レバー１１２の下端部には、その傾動に伴い前記被着部１１１から出没する爪部１１４が形成されている。各レバー１１２は、コイルばね等のばね１１５により、爪部１１４が被着部１１１から突出する方向へ付勢されている。
【００９３】
図９に示すように、下部ケース１２の上部において上記被着部１１１に被せられたときに上記爪部１１４に整合する箇所には、凹部又は孔からなる一対の係合部１１６が形成されている。上記両爪部１１４が被着部１１１から突出して、対応する係合部１１６に入り込むことで、上部ケース１３が下部ケース１２に連結される。また、両爪部１１４が被着部１１１内に没入して、対応する係合部１１６から抜け出ることで、上部ケース１３の下部ケース１２に対する連結状態が解除される。
【００９４】
図８及び図１０に示すように、上部ケース１３の側部であって、噴霧口５１の下方には、連結解除ボタン１１７がハウジング１１の径方向へ移動可能に配置されている。連結解除ボタン１１７と上記両レバー１１２との間には、連結解除ボタン１１７の動きを両レバー１１２に伝達して、同レバー１１２を傾動させる伝達機構１１８が配置されている。伝達機構１１８は、連結解除ボタン１１７に連動してハウジング１１の径方向に沿ってスライドするスライド部材１１９と、両レバー１１２の上部にそれぞれ形成された一対のアーム部１２１と、スライド部材１１９及びレバー１１２の間に昇降可能に配置された昇降部材１２２とを備えている。スライド部材１１９には、昇降部材１２２に接触する斜面１１９ａが形成されている。
【００９５】
上記の構成によれば、図１０及び図１１において矢印Ａ１で示すように、連結解除ボタン１１７が押圧されると、矢印Ａ２で示すようにスライド部材１１９がハウジング１１の軸線に接近するようにスライドする。このスライドにより、スライド部材１１９の斜面１１９ａに沿って昇降部材１２２が矢印Ａ３に示すように上昇する。このとき、昇降部材１２２は、アーム部１２１を介して、レバー１１２に作用して、同レバー１１２がばね１１５に抗して、軸１１３を支点として傾動する。この傾動に伴い、各レバー１１２の爪部１１４が被着部１１１内に没入し、係合部１１６から抜け出す。そのため、上部ケース１３と下部ケース１２とを分離させることが可能となる。
【００９６】
また、被着部１１１に下部ケース１２が装着された状態で、連結解除ボタン１１７を押圧することが止められると、各ばね１１５の弾性復元力により、各レバー１１２は、爪部１１４が被着部１１１から突出するように傾動し、各レバー１１２の爪部１１４が係合部１１６に入り込んで係合する。これらの係合により、上部ケース１３が下部ケース１２に連結される。このときには、上記各レバー１１２の傾動が、アーム部１２１を通じて昇降部材１２２に伝達されて、同昇降部材１２２が下降する。この下降する昇降部材１２２によりスライド部材１１９が、ハウジング１１の軸線から遠ざかるようにスライドし、これに連動して連結解除ボタン１１７が押圧前の位置へ押し戻される。
【符号の説明】
【００９７】
１１…ハウジング（ケース）、１２…下部ケース、１３…上部ケース、１５…レギュレータ、１９…保持ケース（ボンベ収容部）、２２…ガスボンベ（気体ボンベ）、３０…容器収容部、３１…化粧水容器（液体容器）、４１…弁ケース（開閉弁、噴霧機構の一部を構成）、４３…供給口（噴霧機構の一部を構成）、５１…噴霧口、５２…ノズル（噴霧機構の一部を構成）、６１…操作ノブ（操作部）、８１…ボンベ収容部、Ｌ１，Ｌ２…軸線。
【図１】
2013157595.tif 000003
【図２】
2013157595.tif 000004
【図３】
2013157595.tif 000005
【図４】
2013157595.tif 000006
【図５】
2013157595.tif 000007
【図６】
2013157595.tif 000008
【図７】
2013157595.tif 000009
【図８】
2013157595.tif 000010
【図９】
2013157595.tif 000011
【図１０】
2013157595.tif 000012
【図１１】
2013157595.tif 000013
【国際調査報告】
2013157595.tif 000014
2013157595.tif 000015